(57)【要約】【課題】破砕寸法を小さくすることができ、安全性が高く、装置が大きくならない破砕方法及び破砕システムを提供する。【解決手段】ケーシング１０と、このケーシング１０の上方に開口した、２軸剪断式破砕装置から排出される処理物が投入される投入口１０ａと、この投入口１０ａの下方にケーシング１０内部を区分けするように傾斜配置された、複数の縦型のスリットを有する振り分けダンパ１１と、振り分けダンパ１１のスリット１１ｃを通過した処理物を次工程に排出する排出口１０ｂと、振り分けダンパ１１を通過することなく、振り分けダンパ１１上を滑落する処理物を再び２軸剪断式破砕装置に返送する返送口１０ｄとを有し、所定寸法より小さい処理物のみを、次工程に排出する。なお、振り分けダンパ１１を起立させる起立手段１３と、掻取手段１２を設けてスリットを閉塞する処理物を除去することが好ましい。【選択図】図２
2008229580.tif 000002
【特許請求の範囲】
【請求項１】
２軸剪断式破砕装置で破砕された処理物を、所定寸法以上か所定寸法より小さいかに選別し、所定寸法以上の処理物を、２軸剪断式破砕装置の前に戻して、再び同じ２軸剪断式破砕装置で破砕し、所定寸法より小さい処理物のみを、次工程に排出することを特徴とする破砕方法。
【請求項２】
２軸剪断式破砕置の後段に、所定寸法以上の処理物を２軸剪断式破砕装置の前に返送し、所定寸法より小さい処理物のみを次工程に排出する選別機を設けたことを特徴とする破砕システム。
【請求項３】
選別機は、ケーシングと、このケーシングの上方に開口した、２軸剪断式破砕装置から排出される処理物が投入される投入口と、この投入口の下方にケーシング内部を区分けするように傾斜配置された、篩い部を有する振り分けダンパと、この振り分けダンパの篩い部を通過した処理物を次工程に排出する排出口と、前記振り分けダンパの篩い部を通過することなく、前記振り分けダンパ上を滑落する処理物を再び２軸剪断式破砕装置に返送する返送口とを有することを特徴とする請求項２に記載の破砕システム。
【請求項４】
振り分けダンパの下端を、ケーシングに揺動可能に軸支するとともに、振り分けダンパを起立させる起立手段を設け、振り分けダンパを起立させることにより、篩い部を閉塞する処理物を返送口に落下させて、篩い部を閉塞する処理物を除去することを特徴とする請求項３に記載の破砕システム。
【請求項５】
篩い部が縦長のスリットにより構成されるスリット式篩い部の前記スリットに侵入し、前記スリットに引っかかっている処理物を掻き取るための、回転軸に植設された棒又は板状の掻取部材を有する掻取羽根を、ケーシングの側面に回転可能に取り付けたことを特徴とする請求項３又は請求項４のいずれかに記載の破砕システム。
【請求項６】
所定間隔をおいて植設された棒状部材又は板状部材により構成されるスリット式篩い部の隣り合った前記棒状部材又は板状部材を独立して揺動可能とし、スリット式篩い部を閉塞する処理物を除去することを特徴とする請求項３〜請求項５のいずれかに記載の破砕システム。
【請求項７】
篩い部の閉塞を検知する閉塞検知センサーを設けたことを特徴とする請求項３〜請求項５のいずれかに記載の破砕システム。
【発明の詳細な説明】
【技術分野】
【０００１】
本発明は、廃棄物等の処理物を破砕する破砕方法及び破砕システムに関するものである。
【背景技術】
【０００２】
産業廃棄物や粗大ごみ等の大型の一般廃棄物には、鉄やアルミニウム等のリサイクル可能な資源が含まれている。そのような廃棄物から資源である鉄やアルミニウム等を回収し易くするための前処理装置として破砕装置は広く利用されている。破砕装置の後段には鉄を回収するための磁選機やアルミニウムを回収するためのアルミ選別機等が設置され、破砕処理された処理物から鉄、アルミニウム等を選別し、回収するリサイクル施設が実際に稼働している。粗大ごみ等の大型廃棄物をリサイクルする施設では、種々の破砕装置により、処理物の破砕後の寸法（以下破砕寸法とする）を小さくしているが、破砕装置の代表的なものに多軸剪断式破砕装置がある。この多軸剪断式破砕装置は、隣接して配置された一組又はそれ以上の低速回転する破砕刃で、処理物を剪断することにより破砕するものであり、そのなかでも２軸を有する２軸剪断式破砕装置が多く利用されている。２軸剪断式破砕装置は、破砕寸法が破砕刃の寸法に左右され、破砕刃の直径が大きく、厚みが厚い場合には、破砕後の処理物が大きく（長く）なってしまう場合がある。処理物が大きい場合には、鉄が磁選機でうまく吸着されなかったり、アルミニウムがアルミ選別機でうまく飛ばなかったりして、良好な選別ができないため、鉄やアルミニウム等の回収率、回収純度が低下してしまうという問題があった。また、鉄やアルミニウム以外の処理物を磁選機、アルミ選別機での選別過程で巻き込んだりして、回収率、回収純度が低下してしまうという問題があった。
【０００３】
前述の通り、鉄、アルミニウムをより高純度、高回収率でリサイクルするためには、処理物の破砕寸法をできるだけ小さくする必要がある。このため、鉄、アルミニウムの回収率、回収純度をより向上させるためには、２軸剪断式破砕装置を直列で２基設置し、後段の２軸剪断式破砕装置の破砕刃の寸法を前段のものより小さくして、破砕寸法を小さくすることが多い。しかし、このように２軸剪断式破砕装置を直列して２基設置すると、大きな設置スペースが必要となることや、建設費、維持管理費が大きくなってしまうという問題があった。あるいは、手作業による粗切断を実施している施設もあるが、粗切断を実施してもその寸法には限界があり、手作業となるため効率が良くないという問題があった。
【０００４】
そこで、特許文献１に示されるように、２軸剪断式破砕装置の後段にハンマー式破砕装置を組み合わせて設置した破砕システムがある。このハンマー式破砕装置は、高速回転するローターにハンマー状の破砕刃を取り付け、これとケーシングに固定した衝撃板やバーとの間で、処理物を衝撃、剪断またはすりつぶし作用により破砕するものである。このハンマー式破砕装置は、破砕後の処理物がスクリーンを抜ける大きさまで破砕されて排出されるため、１段式の場合でも所望の破砕寸法まで破砕することが可能となる。しかし、このハンマー式破砕装置は、処理物に可燃性ガス等が入った缶、ボンベ等が混入してそれが破砕され、可燃性ガスが破砕装置内に充満した場合に、高速で回転する破砕刃と処理物との衝撃に起因する火花により火災、爆発等が起こる危険性が高い。そこで通常は可燃ガス検知器、火災検知器、爆発検知器、自動消火装置、換気装置、不燃性ガス吹込装置等の安全対策が必要となるため設備が大掛かりになり、コスト高になるという問題があった。また、ハンマー式破砕装置は高速回転する破砕刃の衝撃により破砕する方式で、２軸剪断式破砕機のように処理物を破砕刃が噛み込む方式ではないため、破砕刃の上部に処理物が跳ね上がったり、滞留したりするためのある程度の空間が必要であり、破砕装置自体が大型となるという問題があった。
【特許文献１】特開平１１−３１９６２３号公報
【発明の開示】
【発明が解決しようとする課題】
【０００５】
本発明は上記問題を解決し、破砕寸法を小さくすることができ、安全性が高く、装置が大きくならない破砕方法及び破砕システムを提供する。
【課題を解決するための手段】
【０００６】
上記課題を解決するためになされた本発明は、２軸剪断式破砕装置で破砕された処理物を、所定寸法以上か所定寸法より小さいかに選別し、所定寸法以上の処理物を、再び同じ２軸剪断式破砕装置で破砕し、所定寸法より小さい処理物のみを、次工程に排出することを特徴とする。
【０００７】
本発明の破砕方法を具現化するシステムは、２軸剪断式破砕装置の後段に、所定寸法以上の処理物を同じ２軸剪断式破砕装置に返送し、所定寸法より小さい処理物のみを次工程に排出する選別機を設けたことを特徴とする。
【０００８】
なお、選別機は、ケーシングとその上方に開口した、２軸剪断式破砕装置から排出される処理物が投入される投入口と、この投入口の下方にケーシング内部を区分けするように傾斜配置された、複数の縦型のスリットを有する振り分けダンパと、この振り分けダンパの篩い部を通過した処理物を次工程に排出する排出口と、前記振り分けダンパを通過することなく、前記振り分けダンパ上を滑落する処理物を再び２軸剪断式破砕装置に返送する返送口とを有することが好ましい。
【０００９】
また、振り分けダンパの下端を、ケーシングに揺動可能に軸支するとともに、振り分けダンパを起立させる起立手段を設け、振り分けダンパを起立させることにより、篩い部を閉塞する処理物を返送口に落下させて、篩い部を閉塞する処理物を除去することが好ましい。
【００１０】
また、篩い部が縦長のスリットにより構成されるスリット式篩い部の前記スリットに侵入し、前記スリットに引っかかっている処理物を掻き取るための、回転軸に植設された棒又は板状の掻取部材を有する掻取羽根を、ケーシングの側面に回転可能に取り付けることが好ましい。
【００１１】
また、スリットの閉塞を検知する閉塞検知センサーを設けることが好ましい。
【発明の効果】
【００１２】
２軸剪断式破砕装置で破砕された処理物を、所定寸法以上か所定寸法より小さいかに選別し、所定寸法以上の処理物を、再び２軸剪断式破砕装置で破砕し、所定寸法より小さい処理物のみを、次工程に排出することとしたので、破砕寸法を小さくすることができ、設備が大きくならない破砕方法を提供することが可能となった。また、２軸剪断式破砕装置の破砕刃は通常低速回転式なので、ハンマー式破砕装置のように処理物と破砕刃との衝撃により火花が発生することがほとんどない。このため、火災や爆発等が発生することがハンマー式破砕装置に比べて少なく安全性が高いだけでなく、火災や爆発等を対策するための安全装置を最小限にすることが可能で設備が大掛かりになることがない。また、１段の２軸剪断式破装置だけで破砕寸法を小さくすることが可能になるので、設置スペースが大きくならず、イニシャルコスト、ランニングコストが高くならない。
【００１３】
本発明の破砕方法を具現化するシステムとして、２軸剪断式破砕装置の後段に、所定寸法以上の処理物を２軸剪断式破砕装置の前に返送し、所定寸法より小さい処理物のみを次工程に排出する選別機を設け、この選別機の好ましい実施形態としてケーシングと、このケーシングの上方に開口した、２軸剪断式破砕装置から排出される処理物が投入される投入口と、この投入口の下方にケーシング内部を区分けするように傾斜配置された、篩い部を有する振り分けダンパと、この振り分けダンパの篩い部を通過した処理物を次工程に排出する排出口と、前記振り分けダンパを通過することなく、前記振り分けダンパ上を滑落する処理物を再び２軸剪断式破砕装置の前に返送する返送口とを有することとしたので、１段の２軸剪断式破砕装置のみで破砕寸法を小さくすることができ、これまで必要であった２段破砕に比べて設備が大きくならない破砕方法を提供することが可能となった。また、２軸剪断式破砕装置の破砕刃は通常低速回転式なので、処理物と破砕刃による衝撃により火花が発生することがほとんどない。このため、火災や爆発等が発生することがハンマー式破砕装置に比べて少なく安全性が高いだけでなく、火災や爆発等を対策するための安全装置を最小限とすることが可能で設備が大掛かりになることがない。また、２軸剪断式破砕装置が１段だけで破砕寸法を小さくすることが可能になるので、設置スペースが大きくならず、イニシャルコスト、ランニングコストが高くならない。
【００１４】
また、振り分けダンパの下端を、ケーシングに揺動可能に軸支するとともに、振り分けダンパを起立させる起立手段を設け、振り分けダンパを起立させることにより、篩い部を閉塞する処理物を返送口に落下させて、篩い部を閉塞する処理物を除去することとすると、篩い部が処理物により閉塞して、所定寸法より小さい処理物が排出口から排出されなくなることを防止することが可能となる。
【００１５】
また、篩い部を、スリット式とした場合は、スリット式篩い部のスリットに侵入し、スリットに引っかかっている処理物を掻き取るための、回転軸に植設された棒又は板状の掻取部材を有する掻取羽根を、ケーシングの側面に回転可能に取り付けることとすると、より確実に、スリットを閉塞する処理物を除去することが可能となる。
【００１６】
また、篩い部を、所定間隔をおいて植設された棒状部材又は板状部材により構成されるスリット式とし、隣り合う棒状部材又は板状部材を独立で揺動可能とすると、前記スリットを閉塞する処理物を容易に除去することが可能になる。
【００１７】
また、篩い部の閉塞を検知する閉塞検知センサーを設けると、確実に篩い部の閉塞を検知して、篩い部を閉塞する処理物を除去することが可能となる。
【発明を実施するための最良の形態】
【００１８】
以下に、図面を参照しつつ本発明の好ましい実施の形態を示す。
図１は破砕システムの説明図である。１は供給コンベア、２は横型２軸剪断式破砕装置、３は選別機、４は搬送コンベア、５は磁選機、６はアルミ選別機である。
【００１９】
供給コンベア１は、産業廃棄物や粗大ごみ等の大型の一般廃棄物等の処理物を横型２軸剪断式破砕装置２に投入するためのものである。なお、粗大ごみ等の大型の一般廃棄物とは、タンス、机、椅子、棚等の木製又はスチール家具、家電、自転車等が挙げられる。
【００２０】
横型２軸剪断式破砕装置２は、隣接して配置された一組の低速回転する破砕刃２ａにより、処理物を剪断することにより破砕するものである。
【００２１】
選別機３は、横型２軸剪断式破砕装置２の下方に配置されている。この選別機３は、横型２軸剪断式破砕装置２で破砕された処理物を、所定寸法以上か所定寸法より小さいかに選別し、所定寸法以上の処理物を、供給コンベア１に返送して、再びこの処理物を横型２軸剪断式破砕装置２に投入して破砕し、所定寸法より小さい処理物のみを、次工程（搬送コンベア４）に排出するものである。この選別機３については、詳細に後述する。
【００２２】
選別機３から排出される所定寸法より小さい処理物は、搬送コンベア４で次工程に搬送される。この際に磁選機５の磁力により、処理物に含まれる鉄が回収され、アルミ選別機６のうず電流効果により処理物に含まれるアルミニウムが飛ばされて回収され、リサイクル設備へ搬送される。
【００２３】
図２に選別機３の詳細図を示す。選別機３は、図２に示されるように、主に、ケーシング１０、振り分けダンパ１１、掻取羽根１２、から構成されている。
【００２４】
ケーシング１０は箱形状をしている。このケーシング１０の上部は開口していて、投入部１０ａとなっている。投入部１０ａから、横型２軸剪断式破砕装置２から排出される処理物がケーシング１０内に投入されるようになっている。ケーシング１０の下端は、開口していて排出口１０ｂとなっている。ケーシング１０の一方の側面から矩形断面の返送シュート１０ｃが下側斜め方向に分岐している。返送シュート１０ｃの下端は開口していて、返送口１０ｄとなっている。
【００２５】
図３に図２のＡ−Ａ矢視図を示し、振り分けダンパ１１をスリット式とした場合の詳細図を示す。この振り分けダンパ１１は、図３に示されるように、回転軸１１ａに所定の間隔を開けて複数の棒又は板状部材１１ｂを植設したものである。なお、隣接する棒又は板状部材１１ｂは、同一平面上に配置されている。このように構成することにより、縦型のスリット１１ｃが複数形成されている。なお、スリット１１ｃの幅寸法ａは、本実施形態では、１５０〜２００ｍｍとなっている。
【００２６】
振り分けダンパ１１は、投入口１０ａの下方に、ケーシング１０内部を上下に区分けするように、傾斜配置されている。振り分けダンパ１１は、ケーシング１０の返送シュート１０ｃが分岐している側の側面に揺動可能に軸支されている。振り分けダンパ１１は、回転軸１１ａを下側にして、この回転軸１１ａの軸中心が、返送シュート１０ｃが、ケーシング１０から分岐する部分の下端である股部１０ｅと同一になるようにして、ケーシング１０の股部１０ｅに揺動可能に軸支されている。
【００２７】
ケーシング１０内部の、上下に区分けされたそれぞれの部分が、スリット１１ｃにより連通するようになっている。なお、本実施形態では、スリット１１ｃを、回転軸１１ａに所定の間隔をおいて植設された棒又は板状部材１１ｃにより形成しているが、板状の部材に、縦長の穴を開けて縦型のスリットを形成して、振り分けダンパを構成することとしても差し支えない。このスリット１１ｃは、処理物を大きさにより選別する篩い部となっている。なお、この篩い部は、図３に示されるようなスリット状の形態でも良いが、格子状、穴状のものでも構わない。
【００２８】
振り分けダンパ１１は、起立手段であるエアシリンダー１３により、起立するようになっている。なお、起立手段は、エアシリンダー１３に限定されず、振り分けダンパ１１を起立させるものであればすべて含まれ、油圧シリンダーや電動シリンダー、電動モータ、エンジン等の動力を使用した起立手段であっても差し支えない。
【００２９】
返送シュート１０ｃが分岐している側のケーシング１０の側面には、掻取羽根１２が回転可能に軸支されている。この掻取羽根１２は、回転軸１２ａと、この回転軸１２ａに所定間隔をおいて植設された棒又は板状の掻取部材１２ｂとから構成されている。隣接する掻取部材１２ｂの間隔は、隣接するスリット１１ｃの間隔と同じ間隔になっている。掻取羽根１２の回転軸１２ａが、ケーシング１０の側面に軸支されている。このように構成することにより、掻取部材１２ｂは、スリット１１ｃに侵入するようになっている。
【００３０】
ケーシング１０内部には、閉塞検知センサー１４が取り付けられている。この閉塞検知センサー１４は、処理物による、スリット１１ｃの閉塞を検知するものである。この閉塞検知センサー１４は、例えば、ケーシング１０の対向する側面に取り付けられた、投光器１４ａと受光器１４ｂとから構成された光電管式のものであり、投光器１４ａから発せられた信号は、スリット１１ｃを通過して、受光器１４ｂで受信するようになっている。受光器１４ｂが、投光器１４ａから発せられた信号を受信しない時には、スリット１１ｃが閉塞したと検知する。
【００３１】
なお、閉塞検知センサー１４は、接触式、超音波式のものであっても差し支えない。また、この接触式の閉塞検知センサー１４には、羽根式のものが含まれる。羽根式の閉塞検知センサー１４は、処理物がスリット１１ｃを閉塞することにより、処理物がケーシング１０内で蓄積した際に、ケーシング１０に取り付けられた回転する羽根が、前記蓄積した処理物が前記羽根と当接することにより、前記羽根の回転が停止した場合に、スリット１１ｃの閉塞を検知するものである。
【００３２】
次に本発明の作用について説明をする。横型２軸剪断式破砕装置２で破砕された処理物は、投入口１０ａから、選別機１０に投入される。投入口１０ａから投入される処理物には、様々な寸法の処理物が混在している。スリット１１ｃの幅寸法ａより小さい処理物は、スリット１１ｃを通過して、排出口１０ｂから排出されるようになっている。
【００３３】
一方で、スリット１１ｃの幅寸法ａ以上の処理物は、スリット１１ｃを通過することなく、振り分けダンパ１１の棒状部材１１ｂ上を滑落しながら、返送シュート１０ｃに導かれ、返送口１０ｄから排出される。この返送口１０ｄから排出される処理物は、供給コンベア１により再び、横型２軸剪断式破砕装置２に返送されて、破砕される。このように、横型２軸剪断式破砕装置２で破砕された処理物を、所定寸法以上か所定寸法より小さいかに選別し、所定寸法以上の処理物を、横型２軸剪断式破砕装置２の前に戻して再び再び同じ２軸剪断式破砕装置２で破砕し、所定寸法より小さい処理物のみを、次工程に排出することとしたので、破砕寸法を小さくすることが可能となる。
【００３４】
スリット１１ｃの幅寸法ａを変えることにより、排出口１０ｂから排出される処理物の大きさを所望の破砕寸法にすることができる。
【００３５】
所定寸法以上の処理物が、横型２軸剪断式破砕装置２に返送されることにより循環することになるため、供給コンベア１等の各機器の容量が大きくなることが懸念されるが、通常の破砕システムにおける機器は、大型廃棄物を搬送、処理できるようにコンベヤ幅、各開口寸法等が大きくなっているので機器容量にも非常に大きな余裕を持っているため、前記各機器の容量を大きくする必要がない。
【００３６】
処理物が、スリット１１ｃを閉塞して、閉塞検知センサー１４が、スリット１１ｃの閉塞を検知した場合には、起立手段であるエアシリンダー１３が作動し、選別手段１１が起立する。この際に、スリット１１ｃを閉塞している処理物が、自重により返送シュート１０ｃから返送口１０ｄに落下するようになっている。なお、振り分けダンパ１１の起立角度を垂直ではなく返送口１０ｄ側へ傾斜（例えば３０°程度）するように構成することとしても差し支えない。この場合には、引っかかった処理物が自重により落下するため、よりスムーズにスリット１１から処理物を除去することが可能となる。
【００３７】
選別手段１１を起立させるだけでは、スリット１１ｃを閉塞している処理物の除去が不十分な場合もあるので、選別手段１１を起立させるとともに、掻取羽根１２を回転させて、掻取部材１２ｂを、スリット１１ｃに侵入させて、スリット１１ｃを閉塞する処理物を掻き取り、除去することとしている。なお、篩い部が格子状、穴状の場合は、直動プッシュ式の閉塞物押出機構を設置して、篩い部を閉塞する処理物を除去することとしている。
【００３８】
あるいは、隣り合った棒状部材１１ｂ又は板状部材１１ｂを独立して揺動可能とし、スリット１１ｃを閉塞する処理物を除去することとしても差し支えない。
【００３９】
以上説明したように、横型２軸剪断式破砕装置２の後段に、選別機３を設けたので、スリット１１ｃの幅寸法ａより小さい処理物のみが、次工程に排出されるようになる。１段の横型２軸剪断式破砕装置２のみで、処理物を破砕した場合には、処理物に含まれる、鉄、アルミニウムの回収率は約８０％程度、回収純度は約９０％程度であったが、横型２軸剪断式破砕装置２の後で所定寸法以上の処理物を選別し、この処理物を再び、同じ横型２軸剪断式破砕装置２に投入して、磁選機５やアルミ選別機６に導くこととすると、鉄、アルミニウムの回収率、回収純度が、ともに９５％以上に向上することとなった。
【００４０】
なお、本実施形態では、選別機３は、ケーシング１０内部を区分けするように傾斜配置された、複数の縦型のスリット１１ｃを有する振り分けダンパ１１により、処理物を寸法により振り分けているが、振り分けダンパは、篩い状のものを用いて、処理物を寸法により振り分けることとしても差し支えない。また、選別機３は、種々の機構のものが適用可能であり、例えばトロンメル（ロータリー式スクリーン、篩い面が円錐形または、円筒形であり、この篩い面を水平もしくは僅かに傾斜させて回転自在に配置し、前記篩い面の内面に処理物を供給して、前記篩い面を低速回転させて、処理物を選別するもの）、あるいは振動式であっても差し支えない。
【００４１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う破砕方法及び破砕システムもまた技術的範囲に包含されるものとして理解されなければならない。
【図面の簡単な説明】
【００４２】
【図１】破砕システムの説明図である。
【図２】選別機の詳細図である。
【図３】振り分けダンパの詳細図である。（図２のＡ−Ａ矢視図）
【符号の説明】
【００４３】
１      供給コンベア
２      横型２軸剪断式破砕装置
２ａ    破砕刃
３      選別機
４      搬送コンベア
５      磁選機
６      アルミ選別機
１０    ケーシング
１０ａ  投入口
１０ｂ  排出口
１０ｃ  返送シュート
１０ｄ  返送口
１０ｅ  股部
１１    振り分けダンパ
１１ａ  回転軸
１１ｂ  棒状部材
１１ｃ  スリット
１２    掻取羽根
１２ａ  回転軸
１２ｂ  掻取部材
１３    エアシリンダー
１４    閉塞検知センサー
１４ａ  投光器
１４ｂ  受光器
ａ      スリットの幅寸法
【図１】
2008229580.tif 000003
【図２】
2008229580.tif 000004
【図３】
2008229580.tif 000005